【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
サーバコンピュータと１または複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて実施され、電子データ管理機能により保持管理される共有可能な電子データに対して付加的な情報として割り付けるアノテーションを管理するアノテーション管理プログラムであって、当該サーバコンピュータを、
クライアントユーザにより電子データ管理機能を用いてアノテーションが電子データに付加されたときに、その付加対象電子データに付加されたアノテーションを抽出するアノテーション抽出手段と、
前記アノテーション抽出手段により抽出されたアノテーションを、コミュニケーション機能において取扱可能なメッセージ形式に変換するメッセージ作成手段と、
前記メッセージ作成手段により作成され、付加対象電子データの特定情報が関連付けられたメッセージを、コミュニケーション機能を利用して前記クライアントコンピュータへ配信するメッセージ管理手段と、
して機能させるためのアノテーション管理プログラム。
【請求項２】
請求項１記載のアノテーション管理プログラムにおいて、当該サーバコンピュータを、
クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、
前記メッセージ抽出手段により抽出されたメッセージを、電子データ管理機能において処理可能なアノテーションに変換するアノテーション作成手段と、
前記アノテーション作成手段により作成されたアノテーションを、付加対象電子データの特定情報に基づき特定される電子データに付加するアノテーションマージ手段と、
して機能させるためのアノテーション管理プログラム。
【請求項３】
請求項１に記載のアノテーション管理プログラムにおいて、
前記メッセージ管理手段は、前記クライアントコンピュータへ配信するメッセージに、当該メッセージに対応するアノテーションが付加された時点における内容の電子データを参照するためのリンク情報を付加することを特徴とするアノテーション管理プログラム。
【請求項４】
サーバコンピュータと１または複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて実施され、電子データ管理機能により保持管理される共有可能な電子データに対して付加的な情報として割り付けるアノテーションを管理するアノテーション管理プログラムであって、当該サーバコンピュータを、
クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、
前記メッセージ抽出手段により抽出されたメッセージを、電子データ管理機能において処理可能なアノテーションに変換するアノテーション作成手段と、
前記アノテーション作成手段により作成されたアノテーションを、付加対象電子データの特定情報に基づき特定される電子データに付加するアノテーションマージ手段と、
して機能させるためのアノテーション管理プログラム。
【請求項５】
請求項１から４のいずれか１項に記載のアノテーション管理プログラムにおいて、
前記コミュニケーション機能は、前記統合情報管理システムに搭載された電子掲示板機能又は電子メール機能により実現されることを特徴とするアノテーション管理プログラム。
【請求項６】
サーバコンピュータと１または複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて、電子データ管理機能により保持管理される共有可能な電子データに対して付加的な情報として割り付けるアノテーションを管理するアノテーション管理装置において、
クライアントユーザにより電子データ管理機能を用いてアノテーションが電子データに付加されたときに、その付加対象電子データに付加されたアノテーションを抽出するアノテーション抽出手段と、
前記アノテーション抽出手段により抽出されたアノテーションを、コミュニケーション機能において取扱可能なメッセージ形式に変換するメッセージ作成手段と、
前記メッセージ作成手段により作成され、付加対象電子データの特定情報が関連付けられたメッセージを、コミュニケーション機能を利用して前記クライアントコンピュータへ配信するメッセージ管理手段と、
を有し、電子データ管理機能を用いて電子データに付加されたアノテーションを、コミュニケーション機能を用いてメッセージとして通知させることを特徴とするアノテーション管理装置。
【請求項７】
請求項６記載のアノテーション管理装置において、
クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、
前記メッセージ抽出手段により抽出されたメッセージを、電子データ管理機能において処理可能なアノテーションに変換するアノテーション作成手段と、
前記アノテーション作成手段により作成されたアノテーションを、付加対象電子データの特定情報に基づき特定される電子データに付加するアノテーションマージ手段と、
を有し、コミュニケーション機能を用いて入力されたメッセージをアノテーションとして電子データ管理機能により管理される電子データに付加することを特徴とするアノテーション管理装置。
【請求項８】
請求項６記載のアノテーション管理装置において、
前記メッセージ管理手段は、前記クライアントコンピュータへ配信するメッセージに、当該メッセージに対応するアノテーションが付加された時点における内容の電子データを参照するためのリンク情報を付加することを特徴とするアノテーション管理装置。
【請求項９】
サーバコンピュータと１または複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて、電子データ管理機能により保持管理される共有可能な電子データに対して付加的な情報として割り付けるアノテーションを管理するアノテーション管理装置において、
クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、
前記メッセージ抽出手段により抽出されたメッセージを、電子データ管理機能において処理可能なアノテーションに変換するアノテーション作成手段と、
前記アノテーション作成手段により作成されたアノテーションを、付加対象電子データの特定情報に基づき特定される電子データに付加するアノテーションマージ手段と、
を有し、コミュニケーション機能を用いて入力されたメッセージをアノテーションとして電子データ管理機能により管理される電子データに付加することを特徴とするアノテーション管理装置。
【請求項１０】
請求項６から９のいずれか１項に記載のアノテーション管理装置において、
前記コミュニケーション機能は、前記統合情報管理システムに搭載された電子掲示板機能又は電子メール機能により実現されることを特徴とするアノテーション管理装置。
【手続補正２】
【補正対象書類名】明細書
【補正対象項目名】００１０
【補正方法】変更
【補正の内容】
【００１０】
以上のような目的を達成するために、本発明に係るアノテーション管理プログラムは、サーバコンピュータと１乃至複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて実施され、電子データ管理機能により保持管理される共有可能な電子データに対して付加的な情報として割り付けるアノテーションを管理するアノテーション管理プログラムであって、当該サーバコンピュータを、クライアントユーザにより電子データ管理機能を用いてアノテーションが電子データに付加されたときに、その付加対象電子データに付加されたアノテーションを抽出するアノテーション抽出手段と、前記アノテーション抽出手段により抽出されたアノテーションを、コミュニケーション機能において取扱可能なメッセージ形式に変換するメッセージ作成手段と、前記メッセージ作成手段により作成され、付加対象電子データの特定情報が関連付けられたメッセージを、コミュニケーション機能を利用して前記クライアントコンピュータへ配信するメッセージ管理手段と、して機能させるためのものである。
【手続補正３】
【補正対象書類名】明細書
【補正対象項目名】００１１
【補正方法】変更
【補正の内容】
【００１１】
また、当該サーバコンピュータを、クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、前記メッセージ抽出手段により抽出されたメッセージを、電子データ管理機能において処理可能なアノテーションに変換するアノテーション作成手段と、前記アノテーション作成手段により作成されたアノテーションを、付加対象電子データの特定情報に基づき特定される電子データに付加するアノテーションマージ手段として機能させるためのものである。
【手続補正４】
【補正対象書類名】明細書
【補正対象項目名】００１３
【補正方法】変更
【補正の内容】
【００１３】
他の発明に係るアノテーション管理プログラムは、サーバコンピュータと１乃至複数のクライアントコンピュータとを有し、前記クライアントコンピュータ間でのメッセージ交換を可能にするコミュニケーション機能及び電子データを共有可能に取り扱う電子データ管理機能が搭載された統合情報管理システムにおいて実施され、電子データ管理機能により保持管理される共有可能な電子データに対して付加的な情報として割り付けるアノテーションを管理するアノテーション管理プログラムであって、当該サーバコンピュータを、クライアントユーザによりコミュニケーション機能を用いて入力され、付加対象電子データの特定情報が関連付けられたメッセージが当該クライアントコンピュータから送られてきたときに、そのメッセージを抽出するメッセージ抽出手段と、前記メッセージ抽出手段により抽出されたメッセージを、電子データ管理機能において処理可能なアノテーションに変換するアノテーション作成手段と、前記アノテーション作成手段により作成されたアノテーションを、付加対象電子データの特定情報に基づき特定される電子データに付加するアノテーションマージ手段として機能させるためのものである。